(57)【要約】【課題】  容器本体と蓋体を覆っている装飾層に着色透明のエラストマーを用い、色彩のグラデーション、種々の色彩の変化を得ることができ、ソフトタッチで容器表面に傷がつきにくく、落下衝撃の吸収もできる装飾容器を提供すること。【解決手段】  装飾容器として、容器本体と蓋体とからなり、容器本体と蓋体の双方、または何れか一方の外表面を装飾層で被覆した装飾容器であって、装飾層は、肉厚が変化する着色透明のエラストマーにより形成されていることを特徴とする。【選択図】  図１
2008030844.tif 000002
【特許請求の範囲】
【請求項１】
容器本体と蓋体とからなり、容器本体と蓋体の双方、または何れか一方の外表面を装飾層で被覆した装飾容器であって、
装飾層は、肉厚が変化する着色透明のエラストマーにより形成されていることを特徴とする装飾容器。
【請求項２】
装飾容器が、容器本体、または蓋体のみから形成されていることを特徴とする請求項１記載の装飾容器。
【請求項３】
容器本体と蓋体の少なくとも一方の外表面に、印刷により加飾を施したことを特徴とする請求項１または２記載の装飾容器。
【請求項４】
装飾層が、漸次的に増減、または部分的に増減した肉厚層により構成されていることを特徴とする請求項１〜３記載の装飾容器。
【請求項５】
装飾層の内面、或いは内外面の双方の肉厚を波形状に形成したことを特徴とする請求項１〜３記載の装飾容器
【請求項６】
装飾層の外周表面に、凸条、またはローレットを形成したことを特徴とする請求項１〜３記載の装飾容器。
【発明の詳細な説明】
【技術分野】
【０００１】
本発明は、装飾容器に関するものである。
【背景技術】
【０００２】
合成樹脂製の装飾容器において、有色の容器主体の外周面を複数段の横帯状の段付面に形成し、この段付面にその全面に亘って容器主体とは異色の着色透明性合成樹脂材からなる外容器を段付面の各段において肉厚を異にして一体に層着したものは、従来から知られている（例えば、特許文献１参照）。
【０００３】
【特許文献１】実公昭５５−１６８１７号公報
【発明の開示】
【発明が解決しようとする課題】
【０００４】
しかしながら、上記特許文献１記載の容器は、色の濃度が漸次的に変化する色彩のグラデーション効果が現出できず、装飾として不十分なものであった。
また、装飾容器として、キズが付きやすく、ソフトな感じが得られない等の問題があった。
【０００５】
本発明は、上記問題を解決することを課題として、容器本体と蓋体を覆っている装飾層に着色透明のエラストマーを用い、色彩のグラデーション、種々の色彩の変化を得ることができ、ソフトタッチで容器表面に傷がつきにくく、落下衝撃の吸収もできる装飾容器を提供することを目的とする。
【課題を解決するための手段】
【０００６】
本発明は、上記の課題を解決するため、装飾容器として、容器本体と蓋体とからなり、容器本体と蓋体の双方、または何れか一方の外表面を装飾層で被覆した装飾容器であって、装飾層は、肉厚が変化する着色透明のエラストマーにより形成されていることを特徴とする構成を採用する。
【０００７】
装飾容器の実施例として、装飾容器が、容器本体、または蓋体のみで形成されていることを特徴とする構成を採用する。
【０００８】
装飾容器の他の実施例として、容器本体と蓋体の少なくとも一方の外表面に、印刷により加飾を施したことを特徴とする構成を採用する。
【０００９】
装飾層の実施例として、装飾層が、漸次的に増減、または部分的に増減した肉厚層により構成されていることを特徴とする構成、または、装飾層の内面、或いは内外面の双方の肉厚を波形状に形成したことを特徴とする構成、或いは、装飾層の外周表面に、凸条、またはローレットを形成したことを特徴とする構成を採用する。
【発明の効果】
【００１０】
本発明の装飾容器は、容器本体、および、または蓋体を覆っている装飾層に着色透明のエラストマーを用い、漸減、漸増の無段階に変化する肉厚層、或いは部分的に増減する肉厚層としたことにより、漸次的に変化する色彩のグラデーションとともに、種々の色彩の変化も得ることが可能となり、趣の異なる優れた加飾容器が得られるようになった。
また、装飾層が弾力性のある構成となっているので、ソフトタッチで容器表面に傷がつきにくく、落下強度の吸収もでき、汎用性のある装飾容器として顕著な効果が得られた。
【発明を実施するための最良の形態】
【００１１】
次に、本発明の装飾容器の実施形態について説明する。
本装飾容器は、内容物として、クリーム、その他の化粧料等が収納される容器で、以下図面を参照して説明する。
【００１２】
図１に示すように、本発明の装飾容器は、容器本体１と蓋体２とから構成され、それぞれの表面は、装飾層３ａ、３ｂによって覆われている。
装飾層３ａ、３ｂは、インサート成形、或いは接着等によって貼着される。
【００１３】
容器本体１は、内容器４と、内容器４を覆っている外容器５とからなり、内容器４は、上端を口部６とした胴部７と、底部８とから構成されており、口部６外周には、ねじ９が螺設されている。
口部６の下方には、フランジ１０が設けられ、フランジ１０の周縁内方には、外容器５に係合する係合筒１１が垂設されている。
底部８の所定の位置には、係合リング１２が垂設されている。
【００１４】
外容器５は、胴部１３と底部１４とからなり、胴部１３上端内周は、係合筒１１に係合支持され、底部１４には、係合リング１２に係合支持される係合リング１５が立設されている。
胴部１３の外表面には、装飾層３ａが設けられている。
【００１５】
蓋体２は、頂壁２０と、側周壁２１と、頂壁２０下面から垂設された内筒２２とからなっている。
内筒２２の内周には、容器本体１の口部６外周のねじ９に螺合するねじ２３が螺着され、その上方には、パッキンｐの支持部２４が設けられている。
【００１６】
蓋体２の頂壁２０と側周壁２１の外表面には、装飾層３ｂが被覆されている。
図１、２に示すように、装飾層３ｂの肉厚は、漸次的に変化し、頂壁２０では中央が厚肉、外側が薄肉となっており、側周壁２１では上方が厚肉、下方が薄肉となっている。
容器本体１の外容器５の外表面の装飾層３ｂも、上端から下方に向かって肉厚が漸増するようになっている。
【００１７】
次に本発明の作用効果について説明する。
装飾層３ａ、３ｂは、着色透明のエラストマーによって形成されているので、装飾層の肉厚の変化によって、色彩のグラデーション効果を得ることができる。
【００１８】
また、着色透明のエラストマーを、容器本体１の外容器５と、蓋体２の外表面を異色にするときには、異なった装飾を得ることができる。
さらに、部分的に増減した肉厚変化による着色透明のエラストマーにより、趣のある装飾効果が得られる。
【００１９】
また、装飾層３ａ、３ｂをエラストマーとしたことにより弾力性があるので、容器はソフトタッチで、容器、蓋体の表面に傷がつきにくく、しかも落下等の衝撃から容器の保護も可能となった。
【００２０】
次に、装飾層３ａ、３ｂに係る変形実施例について、図３、４を参照して説明する。
図３（ａ）に示すように、外容器５の外表面（図示しない）、蓋体２の外表面にホットスタンピング、シルク印刷、転写印刷その他の印刷により加飾３０を施すと、装飾層３ａ、３ｂと合算され美的感覚の優れた装飾が得られる。
【００２１】
また、図３（ｂ）、（ｃ）に示すように、蓋体２の頂壁２０の表面を、縞状、同心円状、渦巻状の波形状凹凸面３１とし、外表面を覆っている着色透明のエラストマーの最外層をフラット３２、或いは波形状凹凸面３１より緩やかな波形状凹凸面３３とすることにより、装飾層３ｂの内面、或いは内外面の双方の肉厚が波形状凹凸面となり、趣のある装飾効果を得ることができる。
【００２２】
また、図４に示すように、容器本体１、または蓋体２、または何れかの装飾層３ａ、３ｂの外周表面３４に、一定間隔をおいて、凸条３５、またはローレットを設けると、縞状の色彩が得られ、装飾効果のみならず滑り止め効果が得られるので、蓋体２の回動をスムースにすることができる。
【００２３】
上記実施形態では、装飾容器として、内容器と外容器とからなる容器本体を用いているが、容器本体は、内外二重の容器ではなくてもよく、実施形態の容器の形状に限定されない。
【００２４】
装飾容器の変形実施例として、図５に示すように、上端を口部４０とした胴部４１と、底部４２とからなる容器本体１ａと、該容器本体１ａの口部４０に装着され、頂壁４３と側周壁４４を具えた蓋体２ａとからなり、容器本体１ａと蓋体２ａの表面に実施形態と同様の装飾層３ａ、ｂを被覆した装飾容器を得ることができる。
本実施例においても、装飾層３を有することによって、実施形態、前記の装飾層に係る変形実施例と同様の作用効果を得ることができる。
【００２５】
装飾容器として、上記容器本体のみでもよく、蓋体はなくてもよい。
容器本体全体を被うものであれば、蓋体のみを装飾容器として利用でき、また、蓋体を容器体として、容器本体と同様に用いることもできるので、装飾容器は、容器本体、または蓋体であれば、いずれでもよいのである。
【００２６】
実施形態では、容器の形状は、円形容器であるが、角形の箱形容器であってもよく、実施形態に限定されない。
【産業上の利用可能性】
【００２７】
容器本体と蓋体を覆っている装飾層を、着色透明のエラストマーを用い、漸減、漸増の無段階の肉厚、或いは部分的に増減する構成としたことにより、漸次的、段階的に変化する色彩のグラデーション色彩が発揮できるともに、種々の色彩の変化も得ることが可能となり、趣の優れた製品が得られ、しかも装飾層を弾力がある構成としているので、容器の表面に傷がつきにくく、落下衝撃の吸収もでき、多くの装飾容器として広く利用できる。
【図面の簡単な説明】
【００２８】
【図１】本発明の装飾容器の一部断面立面図である。
【図２】蓋体の装飾層を示す一部断面立面図である。
【図３】装飾層の変形実施例を示す説明図で、（ａ）は表面に印刷を施した蓋体の一部断面立面図、（ｂ）は蓋体の表面と装飾層の内面を波形状凹凸面とした一部断面立面図、（ｃ）は装飾層の両面を波形状凹凸面とした一部断面立面図である。
【図４】装飾層の表面に凸条を設けた容器の説明図で、（ａ）は横断面図、（ｂ）は図（ａ）のＡ−Ａ線における縦断面図である。
【図５】別実施例の装飾容器の一部断面立面図である。
【符号の説明】
【００２９】
１、１ａ    容器本体
２、２ａ    蓋体
３ａ、ｂ    装飾層
４          内容器
５          外容器
６、４０    口部
７、１３、４１  胴部
８、１４、４２  底部
９、２３    ねじ
１０        フランジ  
１１        係合筒
１２、１５  係合リング
２０、４３  頂壁
２１、４４  側周壁
２２        内筒
２４        支持部
３０        加飾
３１、３３  波形状凹凸面
３２        フラット
３４        外周表面
３５        凸条
ｐ          パッキン
【図１】
2008030844.tif 000003
【図２】
2008030844.tif 000004
【図３】
2008030844.tif 000005
【図４】
2008030844.tif 000006
【図５】
2008030844.tif 000007